(57)【要約】【課題】何れのライターにあっても、単に火を着けるといった従来仕様の域を脱していないため、趣向性に欠くといった問題がある。【解決手段】ライター本体１の一方の面(正面側)に矢印を看取させるデザイン５を付し、他方の面(背面側)に回転手段６を突設せしめる。回転手段６は、ライター本体１の表面から突出する突起からなり、ライター本体１の重心位置に一体的に付設する。斯かる突起は、ライター本体１の材質や色（外観に施されている色彩）と同じにするのが良く、また、テーブル等の載置面にライター本体１を置いて回転させる際、同突起を中心点としてライター本体１が円滑に回転できるように、先端が丸くなるように処理しておくのが良い。【選択図】  図３
0003110449.tif 000002
【実用新案登録請求の範囲】
【請求項１】
喫煙グッズの本体に、回転手段を設けてなることを特徴とする喫煙グッズ。
【請求項２】
喫煙グッズの本体に、テーブル等の載置面に対して水平若しくは垂直に同グッズ本体を回転せしめる回転手段を設けてなることを特徴とする喫煙グッズ。
【請求項３】
前記回転手段は、喫煙グッズ本体の重心位置に設けられた突起からなることを特徴とする請求項１又は２に記載の喫煙グッズ。
【請求項４】
前記喫煙グッズは、ライター、ガス点火器、マッチ、マッチ箱、マッチ棒からなる点火器若しくはシガレットケース、携帯灰皿、喫煙用パイプ、煙管からなる喫煙用具であることを特徴とする請求項１又は２に記載の喫煙グッズ。
【考案の詳細な説明】
【技術分野】
【０００１】
本考案は、主としてライター、ポケット灰皿（携帯灰皿）に代表される喫煙グッズの改良に関し、更に詳しくは、煙草に火を着けるといったライター本来の使い方だけではなく、頗る簡単な手段でもってライターそのものを駒のように回転させて遊ぶことができる趣向性に富んだ喫煙グッズに関する。
【背景技術】
【０００２】
一般的に、喫煙グッズとしては、例えば、ライター、ガス点火器、マッチ、マッチ箱、マッチ棒に代表されるる点火器や、シガレットケース、携帯用灰皿、喫煙用パイプ、煙管に代表される喫煙用具などが挙げられる。
【０００３】
従来、斯かる喫煙グッズの一つであるライターは、着火操作子の押し下げ操作によってガス噴出ノズルが操作されてガスの噴出が始まると共に、着火手段が操作されて火花が発生し、ガス着火が行われるようになっている。斯かるガスライターには、大別して、発火石をヤスリで擦り、その際の火花で着火させるヤスリ式ライター（所謂、フリント式ライター）や、圧電素子を打撃機構で打撃して高電圧を生じさせる圧電ユニットを使用し、火花放電で着火させる圧電着火式ライター（所謂、ピエゾライター）があり、また、斯かるピエゾライターの頂部に蓋体を開閉自在に被冠させ、斯かる蓋体の開閉操作で前記圧電ユニットを動作させる蓋付ガスライター等々がある。
【０００４】
殊に昨今の圧電着火式ガスライターにあっては、ライター本体内に燃焼筒等が内蔵されてライターの本体内で空気と混合されたガスの着火、燃焼が行われる、所謂、内燃式ガスライターと称される耐風性（ＷＩＮＤ−ＰＲＯＯＦ）ガスライターも数多く市販されている。
【特許文献１】特開昭６３−９１４３１号公報
【考案の開示】
【考案が解決しようとする課題】
【０００５】
しかしながら、上述した従来の喫煙グッズ(ガスライター)のうち、フリント式ライターの場合はヤスリ車を親指で擦り回すだけで、ピエゾライターの場合は着火操作子を押し込むだけで、簡単に着火でき、また、内燃式ガスライターにあっては、強風下でも問題なく使用できるといった利点を有するものの、何れのライターにあっても、単に火を着けるといった従来仕様の域を脱していないため、趣向性に欠くといとった問題があり、また、単に火を着けるだけのライターではなく、昨今では、意外性があったり何か面白い使い方ができる趣向性に富んだライターが要望されている。
【０００６】
本考案はこのような従来の問題点及び要望に鑑みてなされたもので、単に煙草に火を着けるといったライター本来の使い方だけではなく、頗る簡単な手段でもって外観から観取されこともなく、ライターそのものをゲーム感覚で駒のように回転させて遊ぶことができる意外性及び趣向性に富んだ喫煙グッズを提供することを目的としたものである。
【課題を解決するための手段】
【０００７】
上述の如き従来の問題点を解決し、所期の目的を達成するため本考案の要旨とする構成は、喫煙グッズの本体に回転手段を設けてなる喫煙グッズに存し、延いては、テーブル等の載置面に対して水平若しくは垂直に同グッズ本体を回転せしめる回転手段を設けてなる喫煙グッズに存する。
【０００８】
前記回転手段は、喫煙グッズ本体の重心位置に設けられた突起からなるのが良く、また、喫煙グッズとしては、ライター、ガス点火器、マッチ、マッチ箱、マッチ棒からなる点火器や、シガレットケース、携帯灰皿、喫煙用パイプ、煙管から喫煙用具であるのが良い。
【考案の効果】
【０００９】
本考案は上述のように構成され、喫煙グッズの本体に回転手段を設けてなること、延いては、テーブル等の載置面に対して水平若しくは垂直に同グッズ本体を回転せしめる回転手段を設けてなることによって、例えば、喫煙グッズがライターの場合は、単に煙草に火を着けるといったライター本来の使い方だけではなく、ライターそのものをゲーム感覚で駒のように回転させて遊ぶことができる有用な喫煙グッズを提供できるといった効果を奏するものである。
【００１０】
また、前記回転手段が、喫煙グッズの重心位置に設けられた突起からなることによって、コストがかかることなく喫煙グッズを円滑に回転させることができると共に、同突起を中心にライター等の喫煙グッズが回転するため、換言すれば、テーブル等の載置面から喫煙グッズが浮き上がった状態で回転するため、回転に伴う摩擦音が一切生じることなく、恰も駒のように、高速に回転させことができるため、看者をして驚くなどの意外性と趣向性に富むことができ、また、外観からは観取できないように喫煙グッズの本体に小さく突設させることが可能であることも相俟って、例えば、どんなに高価なライターであっても、ライター本来のデザインを損ねることなく、新たな付加価値（趣向性）を加わるなど、喫煙グッズとしての商品価値を高めることができるいった効果を奏するものである。
【００１１】
このように本考案の喫煙グッズは、単に煙草に火を着けるといったライター本来の使い方だけではなく、ライターそのものをゲーム感覚で駒のように回転させて遊ぶことができるなど趣向性に富んだライター等の喫煙グッズを提供できるものであり、また、構成が単純であるため、大量生産に適し価格も低廉なものとして需用者に供給できるなど、本考案を実施することはその実益的価値が甚だ大である。
【考案を実施するための最良の形態】
【００１２】
喫煙グッズの本体重心位置に、同喫煙グッズの表面から突出する突起（回転手段）を設ける。斯かる突起は、喫煙グッズをテーブル等の載置面上に置いて回転させた際、同喫煙グッズが載置面から浮き上がって（摩擦音無く）回転できるものであれば良く、また、喫煙グッズの表面に施された色彩と同色若しくは同表面のイニシャル・模様・図柄等と一体的に表示することによって、喫煙グッズ本来のデザインを損ねることなく、また、使用者をして突起の存在を観取させることなく付設できる。
【実施例】
【００１３】
次に本考案の実施の一例を図面を参照しながら説明する。図中Ａは、本考案に係る喫煙グッズの一実施例を示すライターであり、このライターＡは、図１に示すように、ライター本体(喫煙グッズ本体)１と、該ライター本体１の頂面に形成された風防２と、該風防２に隣接されたヤスリ車からなる着火操作子３と、該着火操作子３及び前記風防２の上面を開閉自在に被装する蓋体４とを備えている。
【００１４】
ライター本体１は、一方の面(正面側)に矢印を看取させるデザイン５が付されており、他方の面(背面側)に回転手段６が突設されている。
【００１５】
デザイン５は、後述する回転手段６を中心に回転するライター本体１が、どの方向で止まったかを明確にするために付されている。例えば、ジャンケン代わりに人の順番を決める時など、矢印が指した方向で人の順番を決めることができるなど、次第に緩やかになるライター本体１の回転に合わせて、どこの位置で止まるかといったスリル感を味わい高めることができる。
【００１６】
因に、このデザイン５は、矢印に限定されるものではなく、ライター本体１が回転することで連続回転模様が出てきたり、アニメのように動画的に動く模様として施しても良い。
【００１７】
その他、デザイン５は、例えば、アニメのキャラクター、肖像、イニシャル文字等の如く如何なる模様・図柄に表示しても良く、その際、後述する突起が、キャラクターの一部（目、鼻、口など）に該当するように、或いは模様・図柄等の中にカモフラージュ(同化)させるべく表示するのが良い。
【００１８】
一方、回転手段６は、図３に示すように、ライター本体１の表面から突出する突起からなり、ライター本体１の長手方向の中心位置(重心位置)に一体的に付設されている。斯かる突起は、ライター本体１の材質や色（外観に施されている色彩）と同じにするのが良く、また、図３(ａ)に示すように、テーブル等の載置面Ｂにライター本体１を置いて回転させる際、同突起を中心点としてライター本体１が円滑に回転できるように、先端が丸くなるよう（半球状）に処理しておくのが良い。
【００１９】
このように構成される本考案のライターＡは、回転手段６が突設された方の面(背面側)が下になるようにテーブル等の載置面Ｂに置き(図３(ａ)参照)、次いで、ライター本体１を手の指を使って回転させれば、同ライター本体１は、載置面Ｂからライター本体１が突起の突出分だけ浮き上がった状態で同突起を中心点(軸芯)として回転するため、恰も駒のように、摩擦音なく高速に回転させことができるものであり、見ている人に驚きを与えることができる。
【００２０】
しかも、回転させたライター本体１がどの方向で止まるか、換言すれば、前記矢印を示すデザイン５がどちらを向くかなどで、誰が先に話すかなどの順番を決めたり、大勢の中から人を選出したりする手段として、ゲーム感覚で楽しく使用できるものである。
【００２１】
尚、本考案の喫煙グッズは、本実施例に限定されることなく、本考案の目的の範囲内で自由に設計変更し得るものであり、本考案はそれらの全てを包摂するものである。例えば、本実施例では、回転手段６として突起を用いているが、これに限定されることなく、ベアリングを利用した回転軸や、回転すると音を発するものなどを使用しても良い。
【００２２】
更に、本実施例では、ライター本体１として、蓋付きのオイルライターを使用しているが、これに限定されることなく、所謂１００円ライターに代表されるフリント式ライターや、図３に示すピエゾライターなど、種々のライターに使用できるものであり、その他、ガス点火器、マッチ、マッチ箱、マッチ棒等に代表される点火器や、シガレットケース、灰皿、携帯灰皿、喫煙用パイプ、煙管等に代表される喫煙用具にも回転手段６を付設できるものであり、本考案はこれらの全てを包摂するものである。
【図面の簡単な説明】
【００２３】
【図１】本考案に係る喫煙グッズの第１実施例を示すオイルライターの斜視図である。
【図２】同ライターの正面側を示す説明図である。
【図３】図３(ａ)は同ライターの背面側を示す説明図、図３(ｂ)は同ライターを載置面上に置いた状態を示す部分拡大図である。
【図４】本考案に係る喫煙グッズの第２実施例を示すピエゾライターの正面図である。
【図５】同ライターの背面図である。
【符号の説明】
【００２４】
１  ライター本体
２  風防
３  着火操作子
４  蓋体
５  デザイン
６  回転手段(突起)
【図１】
0003110449.tif 000003
【図２】
0003110449.tif 000004
【図３】
0003110449.tif 000005
【図４】
0003110449.tif 000006
【図５】
0003110449.tif 000007